Podtech/llm-jp-corpus-v4-ja_patent huggingface dataset:
(57)【要約】【課題】本発明は、太陽光エネルギーを利用することにより、コンセントのない場所や、電圧の異なる海外等でのヘアドライヤーの使用を可能にするものである。【解決手段】ヘアドライヤー本体に配設したソーラーパネルで取り込んだ太陽光エネルギーを電力に変換し、コンセントを使わずに使用する。【選択図】図１
2005319252.tif 000002
【特許請求の範囲】
【請求項１】
（イ）ヘアドライヤーの上面および側面にソーラーパネル（１）を配設する。
（ロ）ヘアドライヤー内部に蓄電器（２）を設置する。
（ハ）ソーラーパネルと蓄電器を接続するコード（３）を配線する。
以上の如く構成された、太陽光エネルギーを利用したヘアドライヤー。
【発明の詳細な説明】
【技術分野】
【０００１】  本発明は、本体に配設したソーラーパネルによって発電した電力を利用したヘアドライヤーに関する。
【背景技術】
【０００２】  従来のヘアドライヤーは屋内に設置されているコンセントにヘアドライヤーのプラグを接続して使用していた。従ってコンセントのない場所や、電圧の異なる海外等では使用できなかった。
【発明の開示】
【発明が解決しようとする課題】
【０００３】  本発明は、太陽光エネルギーを利用することにより、コンセントのない場所や、電圧の異なる海外等でのヘアドライヤーの使用を可能にするものである。
【課題を解決するための手段】
【０００４】（イ）ヘアドライヤーの上面および側面にソーラーパネル（１）を配設する。
（ロ）ヘアドライヤー内部に蓄電器（２）を設置する。
（ハ）ソーラーパネルと蓄電器を接続するコード（３）を配線する。
以上のように装置する。
【発明の効果】
【０００５】（イ）太陽光エネルギーを利用するため、経済的かつ、エネルギー資源問題解決への貢献が期待できる。
（ロ）屋内、屋外を問わずどこでも、コンセントのない場所で使用が可能である。
（ハ）海外でも、太陽光さえあれば使用できる。
【発明を実施するための最良の形態】
【０００６】（イ）本体を、ソーラーパネル（１）に太陽光があたる場所に置く。
（ロ）太陽光エネルギーをコード（３）を通して、内蔵されている蓄電器（２）に充電される。
【図面の簡単な説明】
【図１】    本発明の斜視図
【図２】    本発明の上部拡大斜視図
【図３】    本発明の下部拡大透視図
【符号の説明】
１はソーラーパネル
２は蓄電器
３は接続コード
４はドライヤースイッチ
【図１】
2005319252.tif 000003
【図２】
2005319252.tif 000004
【図３】
2005319252.tif 000005
(57)【要約】      （修正有）【課題】従来抱っこ紐では、背あてや装着用ベルトがあるため、小さくたたむことが出来なかった。そこで、携帯しやすくクッション性のある便利な乳幼児用抱っこ紐を提供できるようにし、収納用の袋状の布を着脱可能にすることによって乳幼児の保温、脱落を防止する。【解決手段】１枚の布を蛇腹状に縫い、綿を入れることによってクッション性を持たし伸張した状態で側面部が両側から外側から内側に向かってそれぞれ所定の布幅で蛇腹状に折り畳むことができる。本体脇部分２と着脱可能な別布３で乳幼児の保温、脱落防止にする。【選択図】図３
2005319258.tif 000002
【特許請求の範囲】
【請求項１】
１枚の布を使って蛇腹状に折り、両端と使用者の肩にあたる部分に綿を入れることによってクッション性を持った、乳幼児を様々な姿勢で保持できる持ち運びの便利な乳幼児用抱っこ紐にし、別布を着脱可能にすることによって、横抱き時の乳幼児の保温、脱落防止にすることができる。また別布を袋状にすることによって持ち運び時の収納袋にすることができる。別布を外すことによって縦抱き、後ろ抱き、前向き抱きを可能にする。
【発明の詳細な説明】
【技術分野】
【０００１】本発明は、乳幼児を様々な姿勢で保持でき、携帯にも便利な乳幼児用抱っこ紐であり、別布を着脱可能にすることによって乳幼児の横抱き時の脱落防止にすることに関するものである。
【背景技術】
【０００２】従来の抱っこ紐では装着が難しく、携帯に不便であった。
【発明が解決しようとする課題】
【０００３】従来抱っこ紐では、背あてや装着用ベルトがあるため、小さくたたむことが出来なかった。そこで、本発明は携帯に便利でクッション性がある乳幼児用抱っこ紐を提供できるようにし、また着脱可能な別布を乳幼児の保温、脱落防止にすることを課題とする。
【課題を解決するための手段】
【０００４】上記課題を解決するために、請求項１記載の乳幼児用襷がけ抱っこ紐は１枚の布の蛇腹状の袋で、両端と装着者の肩にあたるに綿を入れることによってクッション性を持った抱っこ紐を製作することを可能とし、別布を着脱可能にすることによって横抱き時の乳幼児の保温、脱落防止にすることができる。また別布を袋状にすることによって携帯時の収納袋にすることもできる。
【発明の効果】
【０００５】本発明は次のような効果を奏する。請求項１に記載されている発明は、伸張した状態で側面部を両側とも外側から内側に向かってそれぞれ所定の布幅で蛇腹状に折り畳むことができる。また両端部分と装着者肩にあたる部分に綿を入れることによりクッション性を持たせた抱っこ紐を提供することができる。また別布を着脱可能にすることにより乳幼児の横抱き時の保温、脱落防止にすることができる。別布を袋状にすることによって携帯時の収納袋にすることもできる。
【発明を実施するための最良の形態】
【０００６】１枚の布を蛇腹上に折りたたみ綿を入れ袋状に縫い抱っこ紐とする。また着脱可能な別布を付属させる。別布を袋状にすることによって携帯時の収納袋にすることもできる。
【実施例】
【０００７】１枚の布で綿を入れ蛇腹上にたたんで縫うことによってクッション性を持たし、小さくたたんで携帯できるようになる。
【産業上の利用可能性】
【０００８】購入者の趣味による選択によって好きな生地・柄での抱っこ紐を製作することが出来る。
【図面の簡単な説明】
【０００９】
【図１】乳幼児用襷がけ抱っこ紐本体の正面図である。
【図２】別布の正面図である。
【図３】横抱き時の保温、脱落防止として接続した使用時の図である。
【符号の説明】
【００１０】１  は本体肩かけ部分
２  は別布接続部
３  は別布
【図１】
2005319258.tif 000003
【図２】
2005319258.tif 000004
【図３】
2005319258.tif 000005
(57)【要約】【課題】  一人一人異なる顔面の加齢によりできた目の周りのしわ部を狙い、めがね構造体に取り付けた複数の磁石を位置調整して当てることを可能にする。【解決手段】  めがね構造体の左右の耳掛け具２の一部を折り曲げ部３とし、長穴４をもうけ、長穴４のボルト５を介してクッション材６を挟み側面磁石７を取り付け、左右フレーム下部８に薄い下鉄板９をねじ１０で固定し、薄い下鉄板９の裏側に下磁石１１を吸着可能とし、左右フレーム上継なぎ材１２と下継なぎ材１３に薄い上鉄板１４をねじ１５で取り付け、薄い上鉄板１４の裏側に上磁石１６を吸着可能とした。【選択図】  図１
2005319257.tif 000002
【特許請求の範囲】
【請求項１】
めがね構造体に複数の磁石を保持し、位置調整手段を有してなる磁石美容具。
【請求項２】
請求項１のめがね構造体の磁石保持材を変更した磁石美容具。
【発明の詳細な説明】
【技術分野】
【０００１】  本発明は磁石美容具に関する。
【背景技術】
【０００２】  従来、磁石を人体に利用したものは、磁石を身体に当てることで腰、肩、ひざ、腕等の血流をうながし健康を保持、促進させる物が多かった。
【発明の開示】
【発明が解決しようとする課題】
【０００３】  しかしながら、加齢により顔面の目の周りにできたしわを磁石により改善する美容具はなかった。
【課題を解決するための手段】
【０００４】  本発明はめがね構造体に磁石を複数保持させ、一人一人異なる顔面の目の周りのしわ部を狙って、磁石の位置調整を可能としたものである。
【発明の効果】
【０００５】  本発明は顔面のしわ部に磁石を当てることで磁気波の浸透により皮膚細胞を活性化させ、血行を促進、疲労物質を排除してしわ部を改善するものである。
【発明を実施するための最良の形態．実施例】
【０００６】  本発明の磁石美容具は、図１に示されるように、めがね構造体１の左右の耳掛け具２の一部を折り曲げ部３とし、折り曲げ部３に長穴４をもうけ、長穴４のボルト５を介してクッション材６を挟み側面磁石７を取り付け、左右フレーム下部８に薄い下鉄板９をねじ１０で固定し、薄い下鉄板９の裏側に下磁石１１を吸着可能とし、左右フレーム上継なぎ材１２と下継なぎ材１３に薄い上鉄板１４をねじ１５で取り付け、薄い上鉄板１４の裏側に上磁石１６を吸着可能としたものである。
【０００７】  本発明の磁石美容具は、図２に示されるように、めがね構造体１の左右フレーム下部８に取りつける薄い下鉄板９と、上継なぎ材１２、下継なぎ材１３に取りつける薄い上鉄板１４に替え、磁石が吸着する下網状材１７と上網状材１８としたものである。
【図面の簡単な説明】
【図１】  本発明に係る磁石美容具の概観図である。
【図２】  本発明の別の例に係る磁石美容具の概観図である。
【符号の説明】
１  めがね構造体
２  耳掛け具
３  曲げ部
４  長穴
５  ボルト
６  クッション材
７  側面磁石
８  フレーム下部
９  薄い下鉄板
１０  ねじ
１１  下磁石
１２  上継なぎ材
１３  下継なぎ材
１４  薄い上鉄板
１５  ねじ
１６  上磁石
１７  下網状材
１８  上網状材
【図１】
2005319257.tif 000003
【図２】
2005319257.tif 000004
(57)【要約】      （修正有）【課題】従来はＹシャツの襟首や袖口のボタン掛けが大変だった。しかし、この器具を使って止める事によって、老人、子供又は、指の、不自由な方でも、早く楽に止める事ができるようにしたものである。【解決手段】取手１を使って、ボタン４をｕの字部分の溝３を通し奥まで、はめ込み、ボタンホールに押し込むと、ホタンが止まる。【選択図】図１
2005319251.tif 000002
【特許請求の範囲】
【請求項１】
取っ手の、先端をＹの字型に加工し、その片方を少し長めにだし、先端部から、ボタン止め糸が通るように、ボタン糸目の溝を、Ｕ字型に、切り込みを入れ、その上にホタンをのせ押し込むとボタンが止る事が出る、器具である
【発明の詳細な説明】
【技術分野】
【０００１】この発明は、器具を使って、ボタン掛けが楽に出来るものである。
【背景技術】
【０００２】Ｙの字型に加工し、その、片方を少し長がめに出し、先端にＵの字に溝を切る。
【発明の開示】
【発明が解決しようとする課題】
【０００３】老人や、又は、指先の不自由な方でも、シャツの襟首や袖口のボタン掛けが、楽に出来るようにした、器具である。
【問題を解決するための手段】
【０００４】器具の先端を、三股に加工し、その１端の糸目の溝に、ボタンを掛けて押し込む。
【発明の効果】
【０００５】器具の先に、ボタンを掛ける事で、楽に早くできる器具である。
【発明を実施するための最良の形態］
【０００６】以下、本発明の実施例について説明する。  １  取っ手を使って、４のボタンを、  ３  のＵの字部分の溝を通し、５  のＹの字のところでとめる。本発明は、以上のように使用する。
【図面の簡単な説明】
【０００７】
【図１】    本発明の正面図である。
【図２】    本発明の断面図である。
【符号の説明】
【０００８】    １    取っ手
２    ボタン掛け先端部
３    Ｕ字に糸目の溝を切る
４    ボタン断面図
５    Ｙの字に加工して片方を少し長めに延ばす
【図１】
2005319251.tif 000003
【図２】
2005319251.tif 000004
(57)【要約】【課題】物干竿に掛けたハンガーは風などにより脱落したり偏ったりする事があった。また、器具の穴にハンガーを通す構造の従来の脱落防止器具では、ハンガーの形状により使用できなかったり、個々に着脱する必要あるため手間がかかるという問題があった。【解決手段】物干竿と平行に紐を設置し、その間にハンガーの先端をが通るよう洗濯物を物干竿に掛けた後、物干竿を約１８０度回転させることで紐と物干竿でハンガーを挟み、固定する。【選択図】図２
2005319259.tif 000002
【特許請求の範囲】
【請求項１】
物干竿と水平に紐を張り、洗濯物を干す際に物干竿と紐との間にハンガー先端が通るように掛け、その後、紐がハンガー先端と反対側にくるまで物干竿を約１８０度回転させることにより紐と物干竿とでハンガーを挟み込み、風などによる脱落、偏りを防止する器具。
【発明の詳細な説明】
【技術分野】
【０００１】  本発明は、ハンガーに掛けた洗濯物が風などにより物干竿から脱落したり、偏ったりする事を防ぐ器具に関する。
【背景技術】
【０００２】  従来の脱落防止器具は、物干竿に設置した器具の穴にハンガー先端を通すなどして脱落、偏りを防止したものであった。
【発明の開示】
【発明が解決しようとする課題】
【０００３】  しかしながら従来の技術によれば、ハンガー先端の太さや形状により穴に通す事ができず、使用できない場合があった。また、ハンガーの先端を１つずつ穴に通す必要があり、着脱が非常に面倒であった。そこで本発明は、ハンガーの形状によらず使用でき、なおかつ着脱が容易な脱落防止器具を提供する事を課題とする。
【課題を解決するための手段】
【０００４】  以上の課題を解決するため、本発明は物干竿と水平に紐を張り、洗濯物を干す際に物干竿と紐との間にハンガー先端が通るように掛け、その後、紐がハンガー先端と反対側にくるまで物干竿を約１８０度回転させることにより紐と物干竿とでハンガーを挟み込み、風などによる脱落、偏りを防止する器具である。
【発明の効果】
【０００５】  物干竿と紐がハンガーを挟み込み、風などによる脱落を防ぐ。また、物干竿と紐との間にハンガーを通して回転させるだけなので、ハンガーの形状によらず使用でき、かつ全てのハンガーを一回の動作で固定できるので着脱が容易である。
【発明を実施するための最良の形態】
【０００６】  図１で示すように固定部品１の穴２に紐３を通し、物干竿４に２つ以上、紐３が物干竿４と水平に張られるようにはめ込む。その上で紐３と物干竿４との間にハンガー５の先端が入るように、ハンガー５を物干竿４に掛ける。その後、図２で示すように紐３がハンガー５の先端と反対側にくるように物干竿４を約１８０度回転させることにより、紐３と物干竿４とでハンガー５を挟み、固定する。【０００７】「実施形態の効果」
この実施形態によれば、風などによるハンガーの脱落を防止できる。また、固定部品の間に１つずつハンガーを掛ける事により、風などによる洗濯物の偏りを防ぐことができる。紐と物干竿の間にハンガーの先端を掛けるだけなので、ハンガーの形状によらず使用でき、物干竿を回転させるだけで固定できるので着脱が容易である。【０００８】「他の実施形態」
紐に結び目などの凹凸を付けることにより、ハンガーが容易にずれることを防止し、弱風による洗濯物の偏りをより防ぐ事ができる。
【図面の簡単な説明】
【０００９】
【図１】この発明の一実施形態を示す斜視図である。
【図２】物干竿を回転し、この発明によりハンガーを固定した時の斜視図である。
【符号の説明】
【００１０】      １  固定部品                  ２  穴
３  紐                        ４  物干竿
５  ハンガー
【図１】
2005319259.tif 000003
【図２】
2005319259.tif 000004
(57)【要約】【課題】上下の口腔清掃用マウスピースに効果的な振動を与え、手指で把持することなく、上下額全歯面の清掃及び、歯肉のマッサージを同時に行える口腔清掃器具を提供する。【解決手段】振動発生装置１に首部２を介して、突起４を上下両面に列設したＵ字状挟持部３を設け、上下顎に装着した口腔清掃用マウスピースでＵ字状挟持部３を挟持して使用することを特徴とする。【選択図】  図１
2005319254.tif 000002
【特許請求の範囲】
【請求項１】
上下顎に装着された口腔清掃用マウスピース間で挟持する挟持部を具備する振動発生装置。
【発明の詳細な説明】
【技術分野】
【０００１】  この発明は、上下の口腔清掃用マウスピースに同時に効果的な振動を与えることにより全歯面の清掃、及び歯肉のマッサージを同時に行える口腔清掃器具に関するものである。
【背景技術】
【０００２】  従来、マウスピース本体に振動発生装置を取り付けるか、振動発生装置の先にマウスピースを取り付けることによりマウスピースに振動を与え、口腔清掃を行う装置の発明があった。【０００３】
【特許文献１】  特開２００１−３４０４１２号広報
【０００４】
【特許文献２】  特開２００３−１８０７１８号広報
【発明の開示】
【発明が解決しようとする課題】
【０００５】  これは次のような欠点があった。
（イ）マウスピース本体が大きくなり、口の中に保持するのが困難である。
（ロ）振動発生装置の先にマウスピースを取り付けると全体が大きくなり、保管や本体の清掃に困る。
（ハ）振動発生装置の先に取り付けられたマウスピースに振動を与えるためには強力な動力源が必要である。
本発明は、これらの欠点を除くためになされたものである。
【課題を解決するための手段】
【０００６】  振動発生装置１に首部２を介してＵ字状挟持部３を設け、この部を上下顎に装着した口腔清掃用マウスピースで挟持する構造とする。
Ｕ字状挟持部に、突起４を上下両面に列設する。
振動発生装置１とＵ字状挟持部３は着脱できる構造とする。
【発明の効果】
【０００７】  発明は以上の様な構造で、これを使用するときは、上下顎に口腔清掃用マウスピースを装着し、その上下のマウスピースの間にＵ字状挟持部を挿入し、歯列に合わせて挟持し装置を作動させる。
装置本体は上下のマウスピースで挟持されているため、手で把持する必要が無く、手指を使う作業をしながらでも使用できる。
Ｕ字状挟持部に列設された突起は軟性材料で作られたマウスピース表層に咬合力により嵌入し、振動発生装置からの振動を確実に上下マウスピースに伝え、マウスピース内面に密着する歯面及び、歯肉に機械的摩擦を起こし歯面の清掃と歯肉のマッサージ効果を生む。
振動発生装置をマウスピースに取り付ける必要がないため、小型化でき、保管及び、本体清掃に便利である。
更に、振動発生装置とＵ字状挟持部は着脱できるため、Ｕ字状挟持部のサイズ、色を変えることで、家族全員がひとつの振動発生装置を共用することも可能である。
【発明を実施するための最良の形態】
【０００８】  以下、本案の実施の形態について説明する。
（イ）振動発生装置１に首部２を介してＵ字状挟持部３を設ける。
（ロ）Ｕ字状挟持部３の上下両面に突起４を列設する。
（ハ）振動発生装置１とＵ字状挟持部は着脱できる構造とする。
本案を使用するときは、上下歯列に適度な弾性を有する口腔清掃用マウスピースを装着し、その上下マウスピースでＵ字状挟持部３を歯列に合わせて挟持し、振動発生装置１を作動させる。すると、発生した振動はマウスピースに嵌入した突起４により、無駄なく確実にマウスピースに伝えられ、密着している全歯面及び、歯肉に機械的摩擦を起こし、歯面のバイオフィルムの除去や歯肉のマッサージを行うことが出来る。
【図面の簡単な説明】
【０００９】
【図１】本発明の斜視図である。
【図２】本発明の使用状態を示す説明図である。
【符号の説明】
【０００１０】  １  振動発生装置
２  首部
３  Ｕ字状挟持部
４  突起
５  上顎マウスピース
６  下顎マウスピース
【図１】
2005319254.tif 000003
【図２】
2005319254.tif 000004
(57)【要約】【課題】  従来、気管内挿管を行う際、特に挿管困難症例に遭遇した場合に、多くの麻酔科医は「挿管チューブの先端がもっとブレードに接近して欲しい。」と思ったことであろう。更に、挿管に時間が掛かることは患者の生命に影響を及ぼし、患者にとって不利である。また、食道挿管は絶対避けなければならない。麻酔科医自身、次に控えている手技や指示をしなければならない等、精神的プレッシャーに打ち勝たなければならない。このことは本来、１００％の医療を受けるはずの患者が、そのパーセンテージを下回る医療を受けることに繋がりかねない。  そこで、この発明は、通常の気管内挿管に加えて挿管困難症例に対処することを提供し、これを課題とする。【解決手段】気管内挿管を容易に、かつ安全に行うため、喉頭鏡のブレード先端の直下の喉頭蓋越しに気管内挿管チューブが進入できることを特徴とするブレードに装着することができるガイドを発明した。【選択図】図１
2005319245.tif 000002
【特許請求の範囲】
【請求項１】
気管内挿管を容易に行うため、喉頭鏡のブレード先端の直下の喉頭蓋越しに気管内挿管チューブが進入できることを特徴とするブレードに装着することができるガイド。
【発明の詳細な説明】
【技術分野】
【０００１】  この発明は、喉頭鏡のブレードに装着するガイドの形状に関する。
【背景技術】
【０００２】  従来、気管内挿管を行う際、特に挿管困難症例に遭遇した場合に、多くの麻酔科医は「挿管チューブの先端がもっとブレードに接近して欲しい。」と思ったことであろう。更に、挿管に時間が掛かることは、患者の生命に影響を及ぼし、患者にとって不利である。また、食道挿管は絶対に避けなければならない。麻酔科医自身、精神的プレッシャーに打ち勝たなければならない。
【発明の開示】
【発明が解決しようとする課題】
【０００３】  このことは本来、１００％の医療を受けるはずの患者が、そのパーセンテージを下回る医療を受けることに繋がりかねない。
そこで、この発明は、通常の気管内挿管に加えて挿管困難症例に対処することを提供し、これを課題とする。
【課題を解決するための手段】
【０００４】  以上の課題を解決するために、この発明は、気管内挿管を容易に、かつ安全に行うため、喉頭鏡のブレードの直下の喉頭蓋越しに気管内挿管チューブが進入できるためのブレードに装着することができるガイドである。
【発明の効果】
【０００５】  この発明によれば、気管内挿管を行う際、喉頭蓋谷および声門を視認し、ブレード直下の喉頭蓋越しに気管内挿管チューブが進入できるため、通常の気管内挿管に加えて挿管困難症例にも対処することができ、国民の生命、身体を従来に比べて更に守ることができる。
【発明を実施するための最良の形態】
【０００６】  この発明の実施形態を、図１に示す。
ガイドはブレードに装着できるように個々のブレードの形に合わせ、かつブレード直下の喉頭蓋越しに声門に向けた角度で挿管できる形状を成している。
なお、装着方法は清潔性を保ち、突起物等を最小限に抑えるため、滅菌テープで装着する。【０００７】「実施形態の効果」
この実施形態によれば、通常の気管内挿管はもちろん、挿管困難症例に対してもスムースに、かつ安全に挿管でき、またスタイレットを必要としない。このことは、患者にとって有利である。【０００８】「他の実施形態」
図１の実施形態では、ブレードの形状が変化しないタイプに装着するガイドであったが、他の実施形態では、ブレードの先端が可動するタイプに装着するガイドでも良い。  この場合は、先端可動部分に装着するガイドと可動しない部分に装着するガイド計二個装着する。
【図面の簡単な説明】
【０００９】
【図１】この発明の一実施形態を示す斜視図である。
【図２】従来技術を示す斜視図である。
【符号の説明】
【００１０】１  喉頭鏡本体              ２  気管内挿管ガイド
３  先端可動型喉頭鏡本体    ４  先端可動型喉頭鏡対応気管内挿管ガイド
【図１】
2005319245.tif 000003
2005319245.tif 000004
2005319245.tif 000005
【図２】
2005319245.tif 000006
【手続補正書】
【提出日】平成16年7月23日(2004.7.23)
【手続補正３】
【補正対象書類名】図面
【補正対象項目名】全図
【補正方法】変更
【補正の内容】
【図１】
2005319245.tif 000007
【図２】
2005319245.tif 000008
【図３】
2005319245.tif 000009
【図４】
2005319245.tif 000010
【図５】
2005319245.tif 000011
【図６】
2005319245.tif 000012
【図７】
2005319245.tif 000013
【図８】
2005319245.tif 000014
【図９】
2005319245.tif 000015
【手続補正４】
【補正対象書類名】明細書
【補正対象項目名】０００９
【補正方法】変更
【補正の内容】
【０００９】図面【図１】青木式気管内挿管ガイドの単体図
【図２】喉頭鏡への装着例  正面および後面
【図３】喉頭鏡への装着例  側面
【図４】喉頭鏡への装着例  斜め前方面
【図５】発明による新技術を示す斜視図  挿管ガイドにより、気管内挿管チューブの先がブレード直下に進入でき、声門を確認した時点で気管内挿管チューブを挿入し挿管は完了。（スタイレットは不要。）
【図６】他の実施形態  ブレードの先端が可動するタイプの喉頭鏡に装着する青木式気管内挿管ガイドの単体図
【図７】他の実施形態  ブレードの先端が可動するタイプの喉頭鏡への装着例  側面
【図８】他の実施形態  ブレードの先端が可動するタイプの喉頭鏡に装着する青木式気管内挿管ガイドの分解図  斜め前方図および上から見た図（説明）  ブレードの先端が可動すると、これに装着されているガイド（甲）も可動する。  ガイド（甲）のスライド部分により、ブレードの先端が可動しても、気管内挿管チューブは軌道を逸れることなく声門に導かれる。  なお、ガイド（乙）は動かない。
【図９】従来技術を示す斜視図（青木式気管内挿管ガイドの装着なしの場合）  気管に進入したいが、気管内挿管チューブの先端がブレードから離れがちとなり、声門は視認できているがスタイレットを用いても気管内挿管チューブの曲がりが不十分であり、気管に挿入し難い。
(57)【要約】【課題】  従来の肩掛け鞄の肩掛け紐には、特に何も施されていないか、少しでも肩にかかる負担、痛みを和らげるために柔らかい素材の肩あてが取り付けてあったが、鞄の中の荷物が重いときや長時間肩にかつぐときは、肩が痛くなってしまう。  肩あての肩と接触する面にツボ押し用の突起物を施すことによって、重い荷物をかついだ場合の肩にかかる負担による不快感を和らげる肩あてを提供する。【解決手段】  鞄の肩掛け紐（４）に装着する肩あて（２）の、肩と接触する面に、ツボ押し用の突起物（１）を付けたことを特徴とする。【選択図】  図１
2005319243.tif 000002
【特許請求の範囲】
【請求項１】
鞄の肩掛け紐の肩あての、肩と接触する面に、突起物を付けた肩あて。
【発明の詳細な説明】
【技術分野】
【０００１】  この発明は、肩掛け鞄の肩あての内側に、ツボ押し用の突起物を付けた肩あてに関するものである。
【背景技術】
【０００２】  従来の肩掛け鞄は、肩掛け紐の肩が接触する部分には特に何も施されていないか、少しでも肩にかかる負担を軽減するためにやわらかい素材の肩あてが装着されていた。
【発明の開示】
【発明が解決しようとする課題】
【０００３】  鞄の中の荷物が重いと特に肩にかかる負担が大きく、また長時間鞄を肩に掛けていると、鞄の肩掛け紐と接触している肩の部分が痛くなってしまう。
これまでの肩あては、肩にかかる負担を多少は分散し軽減させる印象はあったものの、鞄の中身が重いときや、長時間かつぐときにはそれほどの効果はなかった。
本発明は、特に鞄の中身が重いときほど肩にかかる負担感や不快感を軽減するものである。
【課題を解決するための手段】
【０００４】  鞄の肩掛け紐に装着する肩あての、肩と接触する面に突起物を複数付ける。
以上の構成よりなる、ツボ押し用突起物付き鞄の肩あてである。
【発明の効果】
【０００５】  鞄を肩に掛けたとき、肩の部分を肩あての突起物が刺激して、肩のツボを押してもらっているような感覚がある。
鞄の中身が重いほど、肩に受ける刺激が強くなり、肩へのマッサージ効果も高まる。
万が一、長時間使用したため等の理由により突起物の刺激が痛みや不快感に変わった場合は、肩あてを外すか、ずらすなどして対応することができる。あるいは、肩あての突起物が付いていない方を、肩と接触するようにすることもできる。
【発明を実施するための最良の形態】
【０００６】  以下、本発明の実施例について説明する。
鞄の肩掛け紐（４）に装着する肩あて（２）の肩と接触する面に、プラスチックや硬いゴムなどの素材の突起物（１）を複数付ける。
肩あては、マジックテープ（３）などで自由に装着、取り外しできるように施してあれば、肩あてが取り付けられていない、あるいは従来の肩あてが取り付けてある鞄にも利用することができる。
長時間連続して使用するなどにより、ツボ押しの突起物の接触する部分が痛くなるような場合は、肩あてを取り外すか肩掛け紐上を肩の位置からずらすか、あるいは内側と外側をひっくり返して使用することができる。
【図面の簡単な説明】
【０００７】
【図１】  本発明の斜視図である。
【図２】  本発明の使用中の斜視図である。
【符号の説明】
【０００８】    １  突起物
２  肩あて
３  マジックテープ
４  鞄の肩掛け紐
【図１】
2005319243.tif 000003
【図２】
2005319243.tif 000004
(57)【要約】【課題】暗所においても対応可能な頭髪装飾品の発明。頭部宝飾品ではなく、頭髪と一体化した装置とすること。電飾につきものの過度な派手さを避け、抑制の効いた華やかさが一定の品位を保持する装置とすること。【解決手段】極小ＬＥＤと極細光学繊維を組み合わせ、繊維に切り込みを入れることによって光源を分散、また繊維に染色を施すことで頭髪との同化を促進させた。【選択図】図２
2005319244.tif 000002
【特許請求の範囲】
【請求項１】
本発明の主たる要素は頭髪に光学繊維を装着させ、ＬＥＤにより点灯させる点にある。電源となる電池およびスイッチの格納場所は頭髪部に限らず、導線によって他所に設けることも特許請求の範囲とする。
【請求項２】
光学繊維の頭髪への装着方法は頭髪にクリップやピンで挟むことに限らず、冠状や帯状の頭部装飾品等に光学繊維を取り付けることも特許請求の範囲とする。
【請求項３】
頭髪ではなく、耳部に光学繊維を装着させ、イヤリングの代用とすることも特許請求の範囲とする。
【発明の詳細な説明】
【技術分野】
【０００１】本発明は光学繊維をＬＥＤにより発光させ、暗所においても愉しめるよう工夫した頭髪用アクセサリーである。
【背景技術】
【０００２】従来からある頭部アクセサリーは貴金属や宝石により光を反射させて輝くもので、自ら光源となって輝くものではなく、夜間の屋外などで愉しむには不向きであった。さらに、本発明は厳密に言うならば、頭部のアクセサリーではなく頭髪のアクセサリーであり、毛染めの延長とも捉えることのできるものである。
【発明の開示】
【発明が解決しようとする課題】
【０００３】従来から幼児や少女向けの玩具や舞台衣装としては、頭部に電飾を施すものは存在したが、頭髪を飾るものではない。頭髪を装飾するには小型軽量化を徹底させるとともに、光源の分散化が求められる。
【課題を解決するための手段】
【０００４】小型電池の普及、ＬＥＤの発明、光学繊維の開発が小型軽量の電飾アクセサリーの創造を可能にした。また、光学繊維の随所に切り込みを入れ、光源を分散させることによって、頭髪と一体化した斬新なアクセサリーを誕生させることが可能となった。
【発明の効果】
【０００５】女性の美しい髪を脇役に貶めるほどに豪華な宝石や派手な電飾とは異なり、美しい髪を引き立たせ同化するような装置とすることができた。
【実施例１】
【０００６】ＬＥＤ、電池およびスイッチを格納するケース部にクリップを取り付け頭髪に挟む。１０本程の光学繊維の束の先端部にＬＥＤの光が当たるように設置する。光学繊維の随所に切り込みを入れ光源を分散させる。光学繊維は黒や栗色、金色等に染色する。
【図面の簡単な説明】
【０００７】
【図１】本発明の平面図である。
【図２】本発明の使用状態を示す図である。
【符号の説明】
【０００８】１  光学繊維の束（１０本程度：随所に切り込み、染色）
２  ＬＥＤ
３  電池
４  スイッチ
５  クリップ付きケース
【図１】
2005319244.tif 000003
【図２】
2005319244.tif 000004
(57)【要約】【課題】  低反発ウレタン枕の表面と頭部や首部が密着することで移動や寝返りを安らげるため、枕の表面にすき間をつくり、通気性と心地良い触感を持った枕を提供する。【解決手段】  低反発ポリウレタンを成型した表面（３）に、頭部や首部が接触しても違和感がなく且つ通気性を持たせるための格子状に成型したシリコンゴム（１）と網状シート（２）を貼り合わせて、枕カバー（４）に入れた構造にする。【効果】  頭部や首部に負担をかけることなく、自然な形にサポートし、心地良い触感と通気性を高めた仕様でリラックスして眠れる枕を得ることができる。【選択図】  図１
2005319250.tif 000002
【特許請求の範囲】
【請求項１】
人間の体圧と体温を感じ、体の形状に合わせながら変化し、頭部・首部にピッタリとフィットすると同時に、心地良い肌触りを感じさせながら、通気性を加味した低反発ウレタン枕。
【発明の詳細な説明】
【発明の詳細な説明】
【技術分野】
【０００１】  本発明は、体圧と体温で変化し、傾向きでも横向きでも頭部から首部にかけて、ピッタリとフィットして理想的な体形で眠るための低反発フレタン枕の改良に関する。
【背景技術】
【０００２】  湿度や圧力によって形が変わる度合いを、ポリウレタンを形成する原材料の配合により、軟らかくしたり、硬めにしたりして調整し、決められた形状に成型して、その成型物にカバーをかぶせて枕として供給する。【０００３】  しかし、上記の枕は体温や体圧により変形し，頭部や首部が枕の表面を密着した状態になっているため、移動や寝返りの際に抵抗がある。
【発明が解決しようとする課題】
【０００４】  頭部や首部が枕と密着することで、移動や寝返りの際の抵抗を安らげるため、ポリウレタン素材の成型物の表面にすき間となり、頭部や首部に肌触りの良い感覚を与える機能を付加して通気性を持たせる枕を提供する。
【課題を解決するための手段】
【０００５】  本題の請求項１の発明による通気性を加味した低反発ポリウレタン枕は、低反発ポリウレタンを成形した表面に頭部や首部が接触しても違和感がなく、且つ通気性を持たせるためにシリコンゴムを格子状に成型して、貼り合わせることを要旨としている。
【発明を実施するための最良の形態】
【０００６】  本発明の好ましい実施の形態としては、図１に示すように、格子状に成型したシリコンゴムを網状のシートに接着させて、低反発ポリウレタン成型物の表面に網状のシートを貼り合わせてから、チャック付きの枕カバーに入れて供給する。
【実施例】
【０００７】  図１に、本発明の一実施例を示す。
本実施例は、正三角形を格子模様にデザインして成型したシリコンゴム（１）を網状のシート（２）に接着し、低反発ポリウレタンの成型物（３）の表面に網状のシート（２）を張り合わせて、チャック付きの枕カバー（４）に入れる。
【発明の効果】
【０００８】  以上に述べたように、本発明によれば、頭部や首部に負担をかけること無く自然な形にサポートし、心地良い肌触りと通気性を高めた仕様でリラックスして眠れる枕を得ることができる。
【図面の簡単な説明】
【図１】  本発明の一実施例を示すシリコンゴム＋低反発ウレタン枕の俯瞰図である。
【図２】  本発明の一実施例を示すシリコンゴム＋低反発ウレタン枕の断面図である。
【図３】  本発明の一実施例を示すウレタンゴムの正三角形の格子状の金型デザインの平面図である。
【符号の説明】
（１）格子模様にデザインして成型したシリコンゴム
（２）シリコンゴ厶を接着した網状シート
（３）低反発ポリウレタン成型物
（４）枕カバー（チャック付き）
【図１】
2005319250.tif 000003
【図２】
2005319250.tif 000004
【図３】
2005319250.tif 000005
(57)【要約】      （修正有）【課題】隅部、床以上の高所にも効率の良い掃除機、吸い取り具を提供する。【解決手段】掃除機、吸い取り具の両端に空路を設け、隅部、床以上の高所の掃除に効果のある掃除機、吸い取り具。【選択図】図１
2005319241.tif 000002
【特許請求の範囲】
【請求項１】
掃除機、吸い取り具の両端に囲いを付け空路を設けた、掃除機の吸い取り具
【発明の詳細な説明】
【技術分野】
【０００１】  本発明は掃除機、吸い取り具の両端に、囲いを設けた空路に関するものである。
【背景技術】
【０００２】  従来の掃除機、吸い取り具は用途に応じ交換式である。
【発明の開示】
【発明が解決しようとする課題】
【０００３】  それは以下の問題点があった。
（イ）用途に応じ、交換しなければ、ならなかった。
（ロ）交換する吸い取り具は持ち運ぶ必要があった。
（ハ）主に使用する吸い取り具は、宙に浮いた状態では中央にだけしか吸い取る事が出来なかった。
【課題を解決するための手段】
【０００４】  掃除機、吸い取り具の両端に、囲いを付けた空路を設け、その空路は吸い取り具の元部まで通じている、掃除機、本体からの吸引力が吸い取り口、全体に平均させるようにする、又吸い取り口を薄くして軽くした掃除機、吸い取り具である。
【発明の効果】
【０００５】（イ）隅部の吸い取りが容易になった。
（ロ）床以上の高所にも効果がある。
（ハ）軽くなり、操作がやりやすい。
【発明を実施するための最良の形態】
【０００６】以下、本発明の実施の形態について説明する。
掃除機、吸い取り具（１）の両端に囲いを付けた空路（２）を設ける、その空路は吸い取り具（１）の元部（３）まで通じる、これにより掃除機、本体からの吸い取り力が元部（３）で、両端の空路の吸い取り口（４）と、中央の吸い取り口（５）に分けられ、宙に浮いた状態でも吸い取り口先端は同負圧が得られる。
本発明は以上のような構成で、これを使用するときは
床等の掃除方法は従来と変わりはないが、隅や床以上の高所も両端の吸い取り口を使用すれば容易に取れる、又吸い取り口部を薄くすることによって、隙間の吸い取りが出来る、又軽くなる事で壁等にも交換しないで操作する。
尚、操作性を良くするため吸い取り口部に従来発明の車輪（ローラー）を装着する。
【図面の簡単な説明】
【０００７】
【図１】  本発明の正面図
【図２】  本発明の上面図
【図３】  本発明の側面図
【符号の説明】
【０００８】        １  吸い取り具
２  空路
３  元部
４  空路吸い取り口
５  中央吸い取り口
【図１】
2005319241.tif 000003
【図２】
2005319241.tif 000004
【図３】
2005319241.tif 000005
(57)【要約】【課題】従来からあった洗濯ハンガーは、洗濯物を吊す際に洗濯ハンガーが傾いてしまわないように重量や位置を考えて洗濯物をピンチに挟まなければならず、大変面倒であり、また、この問題を解決するものとしてフックと枠体を繋ぐ連結部材の長さを調節するというものがあるが、長さ調節に時間がかかってしまい、大変面倒であった。【解決手段】洗濯ハンガーに、フックと枠体を繋ぐ連結部材以外のフックから枠体に引っかけて繋ぐ紐を設置し、洗濯ハンガーに吊そうとする洗濯物をすべて吊した後、フックから傾いて下がっている方の枠体に紐を引っかけて水平バランスをとることができる洗濯ハンガーを発明した。これによって、洗濯物を洗濯ハンガーに吊す際に水平バランスを考えることなく吊すことができ、洗濯物を吊す作業を効率化できる。【選択図】図１
2005319249.tif 000002
【特許請求の範囲】
【請求項１】
洗濯ハンガーに、フックと枠体を繋ぐ連結部材以外のフックから枠体に引っかけて繋ぐ紐を設置し、洗濯ハンガーに吊そうとする洗濯物をすべて吊した後、フックから傾いて下がっている方の枠体に紐を引っかけて水平バランスをとることができる洗濯ハンガー。
【発明の詳細な説明】
【技術分野】
【０００１】本発明は、水平バランスのとれる洗濯ハンガーに関するものである。
【背景技術】
【発明の開示】
【発明が解決しようとする課題】
【０００２】従来からあった洗濯ハンガーは、洗濯物を吊す際に洗濯ハンガーが傾いてしまわないように重量や位置を考えて洗濯物をピンチに挟まなければならず、大変面倒であった。また、この問題を解決するものとしてフックと枠体を繋ぐ連結部材の長さを調節するというものがあるが、長さ調節に時間がかかってしまい、大変面倒であった。
【課題を解決するための手段】
【０００３】洗濯ハンガーに、フックと枠体を繋ぐ連結部材以外のフックから枠体に引っかけて繋ぐ紐を設置し、洗濯ハンガーに吊そうとする洗濯物をすべて吊した後、フックから傾いて下がっている方の枠体に紐を引っかけて水平バランスをとることができる洗濯ハンガーを発明した。
【発明の効果】
【０００４】本発明では、従来の技術に比べて、洗濯ハンガーの水平バランスをとることが素早くできるため、洗濯物を洗濯ハンガーに吊す際に水平バランスを考えることなく吊すことができ、洗濯物を吊す作業を効率化できる。
【発明を実施するための最良の形態】
【０００５】発明を実施するための最良の形態を図面を参照しながら説明する。
【実施例】
【０００６】図１のように、フックの途中に符号５のような紐を付け、その紐に符号６のようないくつかの留め金を付けると完成する。洗濯ハンガーに吊そうとする洗濯物をすべて吊した後、傾いて下がっている方の枠体の符号７の留め金の受け部分に、水平バランスがとれるようにいずれかの留め金を留める。
【産業上の利用可能性】
【図面の簡単な説明】
【図１】水平バランスのとれる洗濯ハンガーの斜視図である。
【符号の説明】
１フック
２枠体
３連結部材
４ピンチ
５紐
６留め金
７留め金の受け部分
【図１】
2005319249.tif 000003
(57)【要約】【課題】ゴルフ練習場でゴルフボールを打つ行為は、ゴルフコースやスコアを意識していないので緊張感や楽しさに欠ける点がある。また、一球一球のボールを打つ集中力も低下している。【解決手段】ゴルフ練習用イメージシートに印刷された日本国内及び世界各国に実在するゴルフコースあるいは想像で創りだされたゴルフコースをイメージしてゴルフボールを打つ事で、緊張感味わい、スコアも意識して高度な練習を可能とする。【選択図】図１
2005319247.tif 000002
【特許請求の範囲】
【請求項１】
実在するゴルフ場のゴルフコース及び想像で創りだされたゴルフコースを印刷したゴルフ練習用イメージシート。
【請求項２】
前記請求項１に記載するゴルフ練習用イメージシートには、さらに実在する日本国及び世界各国のゴルフ場の紹介を表示する欄があるゴルフ練習用イメージシート。
【請求項３】
前記請求項１に記載するゴルフ練習用イメージシートには、さらにルール、スコアを記入できる欄、各ホールごとの情報及びコース写真を表示する欄があるゴルフ練習用イメージシート。
【請求項４】
前記請求項１に記載するゴルフ練習用イメージシートの材質は、紙、プラスチック、塩化ビニル等、上記内容を印刷できる材質でつくられたゴルフ練習用イメージシート。
【請求項５】
前記請求項１に記載するゴルフ練習用イメージシートー枚に印刷されるゴルフコース数は、ゴルフコースを表示する大きさにより異なり、使用枚数及び用紙サイズも異なるゴルフ練習用イメージシート。
【請求項６】
前記請求項１のシート余白部分及び、裏面に宣伝広告を掲載する欄を設けられるゴルフ練習用イメージシート。
【発明の詳細な説明】
【技術分野】
【０００１】本考案は、ゴルフ練習場においてゴルフ練習用シートに印刷された日本国内及び世界各国に実在するゴルフコースあるいは想像で創りだされたゴルフコースをイメージしてゴルフ練習が出来、スコアも意識して高度な練習を可能とするゴルフ練習用シートに関するものである。
【背景技術】
【０００２】元々ゴルフというものは、ゴルフコースに設けられたグリーン上のカップに少ない打数でゴルフボールを入れることを競うスポーツである。【０００３】経済の変化に伴いプレイ料金が値下がり、庶民でも楽しめるスポーツになってきた。しかし、ゴルフコースでのマナーを考えるとある程度の技術を保持しなければならない。【０００４】その為、ゴルフ練習場でゴルフボールを打つことが技術の保持及び上達に繋がり、ゴルフコースとは別にゴルフ練習場に通う人が多い。
【発明の開示】
【発明が解決しようとする課題】
【０００５】ゴルフ練習場だと次々にゴルフボールを打つことが出来、不得意なクラブの克服に繋がるがスコアを点けることをしないのでゴルフコースのような緊張感は得られない。【０００６】また、ゴルフコースのようにゴルフボールを打つ都度、クラブを替えることは少ないので、偏った練習になりかねない。【０００７】ゴルフ練習場には楽しむという目的が少なく、楽しくゲーム感覚で練習出来るアイテムがあると良い。【０００８】ゴルフプレイ代が下がってきたからといって頻繁にゴルフコース行く事は難しく、まして有名なゴルフコースだとプレイする事すら難しい。
【課題を解決するための手段】
【０００９】本考案のゴルフ練習用シートは、日本国内及び世界各国に実在するゴルフコースあるいは想像で創りだされたゴルフコースが印刷されており、コースをイメージして練習する事が出来る。【００１０】このシートには片面若しくは、両面にゴルフコース、ルール、コース写真、ゴルフ場の紹介が印刷されている。【００１１】このシートに印刷されるホールごとにホール番号、カップまでの距離（ヤード表示）、コースの形、障害物（バンカー、池、林、谷、等）、コース幅、ＯＢゾーン、ペナルティーゾーン、コース写真等が印刷されており、コースをイメージし易くなっている。【００１２】また、コース写真については、ティ−グランド、またはコース中央で撮影した写真を印刷することで、イメージをし易くする。【００１３】コースをイメージしたらクラブを選択し、ボールを打ち出す、ボールの飛んだ方向やボールが止まった位置を予測してこのシートに記入し、残りの距離、コースの状況、障害物をイメージして次々にボールを打つ。【００１４】最終的にグリーンにボールが乗り、カップまでの距離を仮定した時点で、パット数も仮定しスコアに加算する。これで各ホールのプレイは終了する。
【発明の効果】
【００１５】ゴルフコースをイメージしてスコアまでつける事により、練習場でも緊張感が得られ、ゲーム感覚も味わえる。【００１６】また、ゴルフコースに行く前にそのゴルフ場が印刷されたゴルフ練習用シートで練習する事によりスコアアップが期待できる。【００１７】ゴルフ練習用シートなら世界中で有名なゴルフコースをイメージした練習が出来、世界中のコースを身近に感じる事が出来る。【００１８】また、ゴルフ練習用シートにはゴルフ場の紹介も印刷される為、ゴルフ場の宣伝にも繋がり、ゴルフ業界の繁栄にも繋がると思う。【００１９】自分のイメージ次第ではスコアは大きく変わるため、競技には向かないが、知人とのゲームには使えるので、ゴルフ練習に楽しみが加わる。【００２０】ゴルフ練習用シートはあくまで楽しみながら練習する事を前提に発明しており、実在するゴルフコースを体感できるものではない。
【実施例】
【００２１】印刷された各ホールには縦横のヤード表示があり、ゲームを始める前に自分の立つ位置とコースの幅、障害物をイメージする必要がある。【００２２】コースがイメージ出来たらゴルフボールを打ち出し、飛んだ方向、距離を把握して、ゴルフ練習用シートに書き込み、印刷されたルール及びゴルフ競技のルール、各ホールの指示に従い二打目を打ち出す。【００２３】ラフ（芝のあらい場所）、林、バンカー（砂地）、斜面ではその場の状況をイメージしてクラブの選択を行い、時には自分のスタンスを変えて打つ必要がある。【００２４】ＯＢライン、ペナルティーラインを超えた場合や池に入ったと想定される場合は、印刷されたルール及びゴルフ競技のルール、各ホールの指示に従いプレイを続ける。【００２５】グリーンについては大きさ、傾斜をイメージしてボールの着地点や静止点を自分で判断してパット数を仮定する。【００２６】グリーンにゴルフボールが乗るまでの打数と仮定したパット数を合計した数が各ホールのスコアとなりプレイは終了する。ホール毎にスコアをシートに書き込み、１８ホール終了した時点でゲーム終了である。
【図面の簡単な説明】
【００２７】
【図１】ゴルフ練習用イメージシートの表紙面  ゴルフ場の紹介、ルール、各ホールのデザイン（カラー）、コース写真、スコア欄等が印刷されている。
【図２】ゴルフ練習用イメージシートの裏紙面または別紙  各ホールのデザイン（カラー）、コース写真、スコア欄等が印刷されている。
【図１】
2005319247.tif 000003
【図２】
2005319247.tif 000004
(57)【要約】【課題】  従来の壁掛け型衣類用フックハンガーは、フックの長さが短いため、１箇所にたくさん衣類を掛けると、奥の衣類が見え辛い、取り難い、壁に付いて汚れるといった欠点のほか、襖の前に取り付けた場合には、襖が衣類に引っ掛かって、襖の開閉が出来ないといった欠点がある。【解決手段】  フックを多重構造にし、前後に伸縮可能にし、かつ、個々の内蔵フックの前方に“つば”を設け、さらにフック全体の前方を下げることで、上記課題を一気に解決することが出来る。【選択図】図１
2005319230.tif 000002
【特許請求の範囲】
【請求項１】
横に長い板の前面に、複数個の大きさの異なる筒を組み合わせることによって前後に伸縮可能な１個または複数個のフックを備えた壁掛け型衣類用フックハンガー。
【請求項２】
フックに内蔵された大きさの異なる筒の個々に、単品の衣類ハンガーを留めることの出来る“つば”を、筒の先端から、一定の間隔を設けて取り付けることの出来る壁掛け型衣類用フックハンガー。
【請求項３】
フックの前方を一定の角度で傾けて取り付けた壁掛け型衣類用フックハンガー。
【発明の詳細な説明】
【技術分野】
【０００１】  本発明は、衣類を吊り下げるための壁掛け型衣類用フックハンガーに関する
【背景技術】
【０００２】  従来の壁掛け型衣類用フックハンガーは、横に長い板の前方に、長さが一定のフックが複数列配列されたものであり、そのフック１箇所に１着または複数着の衣類をハンガー等で吊り下げ可能にしたものである。
【発明の開示】
【発明が解決しようとする課題】
【０００３】  以上に述べた従来の壁掛け型衣類用ハンガーでは、次のような欠点がある。【０００４】（イ）．フックの長さが短く一定で、フック１か所にたくさんの衣類を単品のハンガー等で吊り下げると、奥側の衣類が見え難く、また、衣類同士が密接して重なっているため、奥側の衣類ほど取り出し難いものである。【０００５】（ロ）．襖の前に取り付けた場合は、襖の開閉によって、襖に擦れたり、襖の隙間に衣類が挟まったりして衣類を傷めてしまう。また、衣類が襖に引っ掛かり、襖の開閉の邪魔をしたり、衣類が落下してしまうことがある。【０００６】（ハ）．壁の前に取り付けた場合は、壁の凹凸や、表面の塵埃等が衣類に付着し衣類が汚れたり、衣類と壁との摩擦により、衣類とともに壁材も磨耗する。【０００７】（ニ）．前方に長いフックを備えた壁掛け型衣類用ハンガーでは、何も衣類を掛けないときには、美観を損ね、大きなデッドスペースを生む。【０００８】  本発明は、上記諸課題を解決しようすることを目的とするものである。
【課題を解決するための手段】
【０００９】  本発明は、上記目的を達成するために、フックを複数個の大きさの異なる筒を組み合わせることによって、フックが前後に伸縮可能なものとし、伸ばし切った位置ではストッパーにて固定出来るようにする。このようなフックを横に長い板の前面に１個または複数個取り付けた構成としたものである。【００１０】  また、第２の課題解決手段は、それぞれの筒の前方に“つば”を設けるものである。【００１１】  また、第３の課題解決手段は、上記のように組み合わされたフックを一定の角度で前方を下げるものである。【００１２】  上記第１の課題解決手段による作用は、衣類を掛けたい数量に従って、フックを引き出すことが出来、また、衣類を掛けないときには、フックを短く納めることが出来る。【００１３】  また、上記第２の課題解決手段による作用は、“つば”を設けることで、衣類を吊り下げる間隔を一定にすることが出来る。【００１４】  また、上記第３の課題解決手段による作用は、フック全体を前方に下げることで、重力に従い、衣類を“つば”の直前で吊り下げることが出来る。
【発明の効果】
【００１５】  フックを伸ばした状態にすると、１本のフックにたくさんの衣類（“つば”の個数およびフックを伸ばした長さに従う）を掛けても、奥のものが取り出し易くなる。【００１６】  フックの前方が下がっていることにより、衣類は自然に“つば”の方へ向かい、襖や壁との間に一定の空間を設けることが出来る。そのため、襖の開閉で衣類が擦れたり、挟まれたりすることが少なくなる。また、壁との圧着が無くなるため、衣類に壁の凹凸の跡が付いたり、壁の表面の汚れが衣類に転写することが無くなる。また、壁と衣類との摩擦による壁材と衣類の損傷を軽減出来る。また、襖を開閉する箇所に取り付けた場合は、襖の開閉に、衣類が邪魔することが軽減される。また、衣類を掛けた個々のハンガーの高さが前方に行くほど、下がるため、後方に掛けた衣類を簡単に視認することが出来る。【００１７】  掛ける衣類の数量に合わせ、フックを伸ばすことで、衣類を密着させることなく、かつ、美観を損なうことなく、たくさんの衣類を掛けることが出来る。衣服を掛けないときには、フックを縮めることで、不要な出っ張りを無くし、デッドスペースを軽減出来る。
【発明を実施するための最良の形態】
【００１８】  以下、本発明の実施の形態を図１〜図５に基づいて説明する。【００１９】  図１、図２に示す本発明の壁掛け型衣類用フックハンガーは、横板（１）の前面に、“つば”（２）付きフック（３）の前方を下げて取り付け、そのフック（３）に内蔵のフック（４）を備えたものである。襖の桟またはその上方の壁、あるいは、前面に障害物の無い壁の上方に、ネジ（５）にて固定する。使用に際しては、図３に示す“つば”（２）を指で引っ張り、フック（３）内に納められた内蔵フック（４）を伸ばす。そのため“つば”（２）は、フック（３）または内蔵フック（４）の先端より一定間隔を空けて取り付け、所望の内蔵フック（４）が伸ばし易いようにする。図４、図５に示すように、一般的な衣類用の単品ハンガー（６）に衣類（７）を掛け、または吊るしたものを、本発明のフックハンガーのフック部（３，４）に掛ける。衣類の重量から補強の必要があれば、リブ（８）を設ける。
【図面の簡単な説明】
【００２０】
【図１】本発明の外観側面図（フックを伸ばしたとき）
【図２】本発明の外観正面図
【図３】本発明の外観側面図（フックを納めたとき）
【図４】本発明の使用状態を示す外観側面図
【図５】本発明の使用状態を示す外観正面図
【符号の説明】
【００２１】      １  横板
２  つば
３  フック
４  内蔵フック
５  ネジ
６  単品ハンガー
７  衣類
８  リブ
【図１】
2005319230.tif 000003
【図２】
2005319230.tif 000004
【図３】
2005319230.tif 000005
【図４】
2005319230.tif 000006
【図５】
2005319230.tif 000007